(57)【要約】      （修正有）【課題】居住者が不在の場合であっても作動させることができ、帰宅直後の居住者に蒸し暑さを極力感じさせないようにし、電力の無駄な消費を極力防止し、設備が大がかりとなることがない建築物の換気システムを提供する。【解決手段】小屋裏４の直下に設けられた複数の部屋５ａ、５ｂに、部屋の温度又は湿度を検知する検知手段９が設けられ、部屋の温度及び湿度の双方が設定値未満の状態では開口部分が閉鎖され、設定値以上となったときに開口するように構成された開閉部１１が、部屋の空気を小屋裏４側へ排出しうるように、ぞれぞれの部屋に設けられ、且つ部屋の温度及び湿度の双方が設定値未満の状態では作動せず、設定値以上となったときに作動するように構成されたファン１４が、小屋裏４内の空気を屋外に排出しうるように設けられていることを特徴とする。【選択図】図１
2013257055.tif 000002
【特許請求の範囲】
【請求項１】
小屋裏（４）を有する建築物における前記小屋裏（４）の直下に設けられた複数のそれぞれの部屋に、該部屋の温度又は湿度のいずれかが、予め設定された設定値以上となった状態を検知する検知手段が設けられ、該部屋の温度及び湿度の双方が前記設定値未満の状態では開口部分が閉鎖され、該部屋の温度又は湿度のいずれかが前記設定値以上となった状態が前記検知手段で検知されたときに開口部分が開口するように構成された開閉部が、前記温度又は湿度のいずれかが設定値以上となった部屋の空気を前記小屋裏（４）側へ排出しうるように、前記複数のぞれぞれの部屋に設けられ、且つ該部屋の温度及び湿度の双方が前記設定値未満の状態では作動せず、該部屋の温度又は湿度のいずれかが前記設定値以上となった状態が前記検知手段で検知されたときに作動するように構成されたファン（１４）が、前記小屋裏（４）内の空気を屋外に排出しうるように設けられていることを特徴とする建築物における換気システム。
【発明の詳細な説明】
【技術分野】
【０００１】
本発明は、建築物における換気システム、さらに詳しくは、小屋裏と称される天井と屋根との間の空間部を有する住居等の建築物において、そのような小屋裏とともに居住者が居住する室内を換気するための換気システムに関する。
【背景技術】
【０００２】
従来から、小屋裏とともに居住者が居住する室内を換気するための換気システムとして種々のものが開発されており、そのような換気システムとして、たとえば下記特許文献１のような特許出願がなされている。
【０００３】
この特許文献１に係る発明は、建築物の屋根面に屋根開口部を設けるとともに建築物の小屋裏直下階の天井に開口部を設け、その屋根開口部と天井開口部に連通管を接続し、屋外の風力を給気及び排気に利用できるように構成された換気システムに係るものである（特許文献１の請求項１等）。屋外の風力を給気及び排気に利用するより具体的な構成として、屋根開口部を傾斜屋根の２箇所に設けるとともに天井開口部や接続管も２箇所に設け、一方の屋根開口部から屋外の空気を一方の連通管、天井開口部を介して室内へ給気し、他方の天井開口部、連通管を介して他方の屋根開口部から居室の空気を室外へ排気することができるように換気システムが構成されている（特許文献１の段落［００６４］等）。
【０００４】
この特許文献１に係る発明は、屋外の風力を給気及び排気に利用し、年間を通じて自然換気ができる換気システムを提供することを課題とするものであり（特許文献１の段落［０００７］）、夏季の蒸し暑さ、特に居住者が居住する室内の蒸し暑さに対してどのように対処するかについて考慮されてはいない。
【０００５】
また、上記特許文献１に係る発明では、一方の屋根開口部から屋外の空気を一方の連通管、天井開口部を介して室内へ給気し、他方の天井開口部、連通管を介して他方の屋根開口部から室内の空気を室外へ排気することで、建築物の室内全体の換気を行うことは意図しているものの、建築物内に複数の部屋がある場合において、それぞれの部屋を個別に換気するようなことまでは考慮されていない。
【０００６】
これらの点に関し、たとえば夏季の蒸し暑さは、外出していた居住者が帰宅して部屋に入ったときに最も感じ易く、そのような場合の好適な対処が望まれるところである。帰宅して部屋に入ったときに蒸し暑さを感じれば、居住者は直ちにクーラー等の冷房器具を作動させることになるが、蒸し暑さを直ちに解消することはできず、快適な温度、湿度となるまでに一定の時間を要することとなる。このような問題は、居住者が居住する複数の部屋がある場合には、それぞれの居住者の在室時間、帰宅時間等が異なることから、それぞれの部屋に個別に生じるものである。従って、それぞれの部屋を個別に換気することが望ましいことはいうまでもない。
【０００７】
また、上記特許文献１の発明では、上記のように屋根開口部、天井開口部、及びこれらに連通させる連通管を、給気と排気のために２箇所に設けており、また、このような風力を利用して給気と排気の双方を好適に行う観点から、それぞれの換気システムの連通管の内部には、実際には風量検知手段、風向検知手段、風速制御手段等が設けられることとなり（特許文献１の請求項３等）、全体としてこれらの設備が大がかりとなる。
【０００８】
尚、上記特許文献１に限らず、この種の換気システムでは、省エネルギーの観点から、消費電力を節減することが一般的、普遍的な課題として存在するが、従来の換気システムにおいては、そのような課題についても十分考慮されているとはいえないのが現状である。
【先行技術文献】
【特許文献】
【０００９】
【特許文献１】特開２００８−３９３１４号公報
【発明の概要】
【発明が解決しようとする課題】
【００１０】
本発明は、このような問題点を解決するためになされたもので、居住者が不在の場合であっても作動させることができ、帰宅直後の居住者に蒸し暑さを極力感じさせないようにすることができ、しかも電力の無駄な消費を極力防止することができ、設備が大がかりとなることがない住居等の建築物の換気システムを提供することを課題とするものである。
【課題を解決するための手段】
【００１１】
本発明は、このような課題を解決するためになされたもので、小屋裏を有する建築物における前記小屋裏の直下に設けられた複数のそれぞれの部屋に、該部屋の温度又は湿度のいずれかが、予め設定された設定値以上となった状態を検知する検知手段が設けられ、該部屋の温度及び湿度の双方が前記設定値未満の状態では開口部分が閉鎖され、該部屋の温度又は湿度のいずれかが前記設定値以上となった状態が前記検知手段で検知されたときに開口部分が開口するように構成された開閉部が、前記温度又は湿度のいずれかが設定値以上となった部屋の空気を前記小屋裏側へ排出しうるように、前記複数のぞれぞれの部屋に設けられ、且つ該部屋の温度及び湿度の双方が前記設定値未満の状態では作動せず、該部屋の温度又は湿度のいずれかが前記設定値以上となった状態が前記検知手段で検知されたときに作動するように構成されたファンが、前記小屋裏内の空気を屋外に排出しうるように設けられていることを特徴とする建築物における換気システムを提供するものである。
【００１２】
かかる構成からなる換気システムにおいては、部屋の温度及び湿度の双方ともに設定値未満の場合には、温度又は湿度のいずれかが設定値以上であることが検知手段によって検知されることがないので、開閉部の開口部分は閉鎖されたままの状態である。また小屋裏内の空気を外部に排出するファンも作動しない。従って、全体として換気システムが作動していないこととなる。夏季の蒸し暑さを考慮して検知手段で検知されるべき温度と湿度が設定されている場合には、部屋の温度及び湿度の双方ともに設定値未満の状態であると、換気システムが作動していなくても、居住者は夏季に体感するような蒸し暑さをさほど感じることはないと考えられる。
【００１３】
これに対して、部屋の温度又は湿度のいずれかが設定値以上となったとき、その状態が検知手段で検知され、それによって開閉部の開口部分が開口状態となる。このように開閉部の開口部分が開口状態となることで、前記検知手段で温度又は湿度のいずれかが設定値以上となったことが検知された部屋と、小屋裏とが連通された状態となる。この結果、当該検知手段で検知された部屋の空気が開口された開閉部を介して小屋裏側へ排出されることとなる。
【００１４】
また、温度又は湿度のいずれかが設定値以上となった状態が検知手段で検知されることで、小屋裏内の空気を屋外に排出するファンが作動し、このファンによって
小屋裏内の空気が屋外に排出されることとなる。この結果、温度又は湿度のいずれかが設定値以上となった部屋と、その部屋と連通状態となった小屋裏との全体が換気されることになり、それによって温度又は湿度のいずれかが設定値以上となった部屋の蒸し暑さが緩和されることになるのである。
【００１５】
特に、夏の蒸し暑さは、温度及び湿度の双方が高くなくても、いずれか一方のみが高くなることで居住者が体感する場合があるが、本発明においては、温度又は湿度のいずれかが設定値以上となったときに検知手段がその状態を検知して換気システムが作動するので、居住者に蒸し暑さを極力感じさせないようにすることができる。
【００１６】
また、居住者が部屋に不在の場合であっても、温度又は湿度のいずれかが設定値以上となったときに換気システムが作動するので、居住者が帰宅して部屋に入った直後から、蒸し暑さを極力感じさせないようにすることが可能となる。この結果、居住者が帰宅してクーラー等の冷房器具を直ちに作動させた場合、比較的短時間で室内が快適な温度、湿度となる。
【００１７】
一方、部屋の温度及び湿度の双方ともに設定値未満の場合には、温度又は湿度のいずれかが検知手段によって検知されることがないので、開閉部の開口部分が閉鎖されたままの状態であり、部屋と小屋裏とが連通状態となることがない。また、小屋裏内の空気を外部に排出するファンが作動しないので、電力を不必要に消費することがない。
【００１８】
特に、本発明においては、検知手段や開閉部が複数の部屋毎に設けられており、必要な部屋のみ検知手段で検知して換気システムを作動することができるので、この点でも電力を不必要に消費することがない。
【００１９】
さらに、夏季の蒸し暑さを考慮して検知手段で検知されるべき温度と湿度が設定されている場合には、部屋の温度及び湿度の双方ともに設定値未満の場合には、検知手段によって検知されることがなく、前記開閉部が開口することがなく、小屋裏のファンが作動することがないので、夏季等、蒸し暑さを感じる必要な季節のみに換気システムが作動することとなり、この点でも電力を不必要に消費することがない。
【００２０】
さらに、本発明の換気システムにおいては、上記のような温度又は湿度を検知する検知手段と、その検知手段に検知された部屋の空気を小屋裏側へ排出する開閉部と、小屋裏内の空気を屋外に排出するファンのみを換気システムに具備させるだけで室内と小屋裏とを換気することができるので、屋根開口部と天井開口部を連通する連通管を給気及び排気のために２箇所に設け、それぞれの連通管内に風量検知手段、風向検知手段、風速制御手段等が設けられた上記従来の換気システムのように、設備が大がかりとなることがない。
【発明の効果】
【００２１】
以上のように、本発明においては、居住者が不在の場合であっても作動させることができ、帰宅直後の居住者に夏季の蒸し暑さを極力感じさせないようにすることができ、しかも電力の無駄な消費を極力防止することができ、設備が大がかりとなることがない住居等の建築物の換気システムを提供することが可能となる。
【図面の簡単な説明】
【００２２】
【図１】一実施形態の建築物の換気システムの概略断面図。
【発明を実施するための形態】
【００２３】
以下、本発明の実施形態について説明する。
【００２４】
本発明の建築物の換気システムは、上述のように、小屋裏を有する建築物における前記小屋裏の直下に設けられた複数のそれぞれの部屋に、該部屋の温度又は湿度のいずれかが、予め設定された設定値以上となった状態を検知する検知手段が設けられ、該部屋の温度及び湿度の双方が前記設定値未満の状態では開口部分が閉鎖され、該部屋の温度又は湿度のいずれかが前記設定値以上となった状態が前記検知手段で検知されたときに開口部分が開口するように構成された開閉部が、前記温度又は湿度のいずれかが設定値以上となった部屋の空気を前記小屋裏側へ排出しうるように、前記複数のぞれぞれの部屋に設けられ、且つ該部屋の温度及び湿度の双方が前記設定値未満の状態では作動せず、該部屋の温度又は湿度のいずれかが前記設定値以上となった状態が前記検知手段で検知されたときに作動するように構成されたファンが、前記小屋裏内の空気を屋外に排出しうるように設けられているものである。
【００２５】
建築物の種類は問うものではないが、天井と屋根との間の空間部である小屋裏を有する建築物であることが必要である。後述のように、小屋裏内の空気をファンによって屋外に排出することで換気を行うからである。また小屋裏の直下に複数の部屋がある建築物に限定される。温度又は湿度が設定値以上であることを、複数の部屋毎に検知して部屋毎に換気を行うためである。本発明においては主として建築物が住居である場合に適用される。
【００２６】
部屋の温度又は湿度のいずれかが、予め設定された設定値以上になったときに検知手段で検知される。温度及び湿度の双方が設定値以上にならなくても、温度又は湿度のいずれか一方が設定値以上になれば、居住者に蒸し暑い状態が体感されうるからである。具体的な設定温度や設定湿度は特に限定されるものではなく、換気システムが適用される建築物の部屋に応じて設定することが可能である。
【００２７】
部屋の温度及び湿度の双方が予め設定された設定値未満の状態では開口部分が閉鎖され、該部屋の温度又は湿度のいずれかが前記設定値以上となったときに開口部分が開口するように構成された開閉部は、たとえば開口部分を開閉自在とするシャッターを備えたダンパーのようなもので構成することができる。また、たとえば開口部分を開閉自在とするシャッターの他にファンを備えた、いわゆるパイプファンのようなもので開閉部を構成することもできる。
【００２８】
また、小屋裏内の空気を屋外に排出するファンを設ける箇所も特に限定されるものではなく、要は、部屋の内部の温度又は湿度のいずれかが検知手段で検知される設定値以上となったときに作動して小屋裏内の空気を外部に排出しうるように設けられていればよい。たとえば、小屋裏を構成する壁面や屋根裏天井面等に設けることが可能である。さらに、部屋の温度又は湿度のいずれかが予め設定された設定値以上となった状態を検知する検知手段としては、たとえばセンサーのようなものが用いられる。
【００２９】
さらに、複数のそれぞれの部屋とは別に、小屋裏の直下の廊下の部分の温度又は湿度のいずれかが予め設定された設定値以上となった状態を検知する検知手段を該廊下の部分に設けることも可能である。この場合には、該廊下の部分の温度及び湿度の双方が前記設定値未満の状態では開口部分が閉鎖され、該部屋の温度又は湿度のいずれかが前記設定値以上となった状態が前記検知手段で検知されたときに開口部分が開口するように構成された開閉部が、廊下の部分の空気を前記小屋裏側へ排出しうるように、前記廊下の部分に設けられることとなる。
【００３０】
以下、本発明のより具体的な実施形態について、図面に従って説明する。本実施形態の換気システムは、図１に示すように、建築物の一例としての住居に適用される。その建築物の構造を図１に従って説明する。
【００３１】
本実施形態の建築物１は、図１に示すように、１階部分２、２階部分３、小屋裏４を具備して構成されている。２階部分３には、２つの部屋５ａ、５ｂが設けられている。
【００３２】
さらに、この建築物１は、床下に基礎空間部６を有し、外壁と内壁間に壁空間部７を有し、さらに屋根裏空間部８を有している。そして、これら基礎空間部６、壁空間部７、及び屋根裏空間部８は連通状態とされている。また、屋根裏空間部８と前記小屋裏４とは、該小屋裏４の天井部１７に設けられた連通部１５を介して連通状態とされている。この連通部１５は、小屋裏４の天井部１７のうちでも、屋根の頂部１６に近い位置に設けられている。
【００３３】
２階部分３の２つの部屋５ａ、５ｂには、それぞれセンサー９が設けられている。このセンサー９は、部屋５ａ、５ｂ内の温度と湿度のいずれかが設定値以上となった状態を検知するように設定されている。また２階部分３は階段部分１９を介して１階部分２と連通状態とされている。
【００３４】
また前記２階部分３の２つの部屋５ａ、５ｂの天井部分には、その部屋５ａ、５ｂと小屋裏４とを連通可能とし、部屋５ａ、５ｂの空気を小屋裏４側へ排出する開閉ダンパー１１、１１が設けられている。
【００３５】
この開閉ダンパー１１は、詳細には図示しないが、略筒状の本体内に、開口部分を開閉自在とするシャッターを備えたものである。さらに、小屋裏４の壁部１８には、ファン１４が取り付けられている。このファン１４は、小屋裏４の壁部１８のうちでも、屋根の頂部１６に近い位置に設けられている。また、このファン１４は、前記２つの部屋５ａ、５ｂのセンサー９及び開閉ダンパー１１に対応して、それぞれ設けられている。すなわち、ファン１４は部屋の室数分設けられている。
【００３６】
また小屋裏４には、中継ボックス１０が設けられている。中継ボックス１０には、２つの部屋５ａ、５ｂのセンサー９が配線によって接続され、また前記各部屋５ａ、５ｂの天井部分に設けられた開閉ダンパー１１が中継ボックス１０に配線によって接続され、さらに前記小屋裏４の壁面に設けられたファン１４が配線によって中継ボックス１０に接続されている。
【００３７】
中継ボックス１０を介して上記のような配線がなされている結果、センサー９で
２つの部屋５ａ、５ｂのうちいずれかの部屋の温度又は湿度が設定値以上となったとき、その温度又は湿度が設定値以上となった部屋５ａ、５ｂの開閉ダンパー１１が作動して開口状態となり、さらに前記小屋裏の空気を屋外へ排出するファン１４が作動することになる。
【００３８】
上記のような温度と湿度のいずれかが設定値以上となった状態を検知するように設定されたセンサー９は、上記２つの部屋５ａ、５ｂとは別に２階の廊下の部分（図示せず）にも設けられており、また空気を小屋裏４側へ排出する開閉ダンパー１１も、上記２つの部屋５ａ、５ｂとは別に２階の廊下の天井部分に設けられ、廊下の部分のセンサー９により該廊下の部分の温度又は湿度のいずれかが設定値以上となった状態が検知されて開閉ダンパー１１が作動して開口状態となるように、また小屋裏４内の空気を排出しうるファン１４が作動しうるように、それぞれ上記中継ボックス１０を介して配線がなされている。
【００３９】
次に、上記のような構成からなる換気システムを用いて建築物１を換気する場合について説明する。本実施形態において、部屋５ａ、５ｂの温度及び湿度の双方ともに設定値未満の場合には、部屋５ａ、５ｂに設けられたセンサー９、９が作動せず、従って、開閉ダンパー１１は作動せず、開閉ダンパー１１のシャッターは閉鎖された状態のままである。従って、部屋５ａ、５ｂと小屋裏４とが連通状態となることもない。また小屋裏４の壁面に設けられたファン１４も作動しない。
【００４０】
そして、２つの部屋５ａ、５ｂのうちの少なくとも一方の部屋の内部の温度又は湿度のいずれかが設定値以上となったとき、その状態がセンサー９で検知される。そして、センサー９で検知された、温度又は湿度のいずれかが設定値以上となった状態が、中継ボックス１０に伝達される。
【００４１】
中継ボックス１０には、２つの部屋５ａ、５ｂのセンサー９が配線によって接続され、また各部屋５ａ、５ｂの天井部分に設けられた開閉ダンパー１１が中継ボックス１０に配線によって接続されているので、センサー９で検知された前記温度又は湿度の状態が中継ボックス１０に伝達されることで、開閉ダンパー１１が作動し、該開閉ダンパー１１のシャッターが開口状態とされる。
【００４２】
このように開閉ダンパー１１が作動することによって、２つの部屋５ａ、５ｂのうち、前記センサー９で温度又は湿度のいずれかが設定値以上となったことが検知された部屋と、小屋裏４とが連通された状態となり、当該検知された部屋の空気が小屋裏４側へ排出されることとなる。
【００４３】
また中継ボックス１０には、ファン１４も配線によって接続されているので、センサー９で検知された前記温度又は湿度の状態が中継ボックス１０に伝達されることで、小屋裏４に設けられたファン１４も作動することになる。このようにファン１４が作動することで、そのファン１４によって小屋裏４内の空気が屋外に排出されることとなる。
【００４４】
一方、廊下の部分にも上記のようにセンサー９及び開閉ダンパー１１が設けられ、
中継ボックス１０には、廊下の部分のセンサー９が配線によって接続され、廊下の天井部分に設けられた開閉ダンパー１１が中継ボックス１０に配線によって接続されているので、廊下の部分のセンサー９で検知された温度又は湿度の状態が中継ボックス１０に伝達されることで、開閉ダンパー１１が作動し、それによって廊下の部分と小屋裏４とが連通された状態となり、廊下の部分の空気が小屋裏４側へ排出されることとなる。さらに、また中継ボックス１０には、廊下の部分に対応するファン１４も配線によって接続されているので、センサー９で検知された前記温度又は湿度の状態が中継ボックス１０に伝達されることで、廊下の部分に対応するファン１４も作動することになり、そのファン１４によって小屋裏４内の空気が屋外に排出されることとなる。
【００４５】
また上記のように２階部分３は階段部分１９を介して１階部分２と連通状態とされているので、たとえば２階部分３の部屋５ａ、５ｂの室内側に面する窓を開ける等によって、部屋５ａ、５ｂ、及び廊下の部分と１階部分２が連通状態となり、その結果、上記のように開閉ダンパー１１及びファン１４が作動することで、２階部分３の部屋５ａ、５ｂ、及び廊下の部分の空気のみならず、１階部分２の空気も開閉ダンパー１１を介して小屋裏４側に排出されることになり、小屋裏４、２階部分３、１階部分２の全体が換気されることとなる。さらに、本実施形態においては、上述のように屋根裏空間部８は連通部１５を介して小屋裏５と連通状態とされているので、上記のように小屋裏４内のファン１４が作動することで、屋根裏空間部８内の空気は、連通部１５を介して小屋裏４に送り込まれることとなる。
【００４６】
特に、ファン１４は小屋裏４の壁部１８における屋根の頂部１６に近い位置に設けられており、また連通部１５は小屋裏４の天井部１７における屋根の頂部１６に近い位置に設けられているので、ファン１４は屋根の頂部１６を隔てて連通部１５に近い位置に設けられていることになる。従って、ファン１４の作動により、屋根裏空間部８内の空気は、連通部１５を介して小屋裏４内に一旦送り込まれた後、屋外に排出されることとなる。
【００４７】
この場合において、屋根裏空間部８は壁空間部７に連通状態とされ、さらに壁空間部７は基礎空間部６と連通状態とされているので、上記のようにファン１４の作動により屋根裏空間部８内の空気が連通部１５を介して小屋裏４内に送り込まれ、屋外に排出されることで、屋根裏空間部８、壁空間部７、基礎空間部６の全体の空気の流通が良好となる。すなわち、基礎空間部６の空気は壁空間部７に送られ、壁空間部７の空気は屋根裏空間部８へ送られ、さらに小屋裏４に送られることとなり、上記のように建築物１の内部の小屋裏４、２階部分３、１階部分２が換気されるだけでなく、屋根裏空間部８、壁空間部７、基礎空間部６の建築物の周囲部分も換気されることとなるので、建築物１の全体が好適に換気されることとなるのである。
【００４８】
このように、本実施形態では、２階部分３の２つの部屋５ａ、５ｂのうちの少なくともいずれかの部屋の温度又は湿度のいずれかが設定値以上となったとき、その状態をセンサー９で検知して、開閉ダンパー１１とファン１４を作動させ、それによってそれぞれの部屋５ａ、５ｂのみならず、上記のように建築物１の全体を換気することができるので、部屋の蒸し暑さが好適に緩和されることになる。
【００４９】
特に、夏の蒸し暑さは、温度及び湿度の双方が高くなくても、いずれか一方のみが高くなることで居住者が体感する場合があるが、本実施形態では上記のように部屋５ａ、５ｂの温度又は湿度のいずれかが設定値以上となったときにセンサー９がその状態を検知して換気システムが作動するので、部屋の居住者に蒸し暑さを極力感じさせないようにすることができる。
【００５０】
また、居住者が部屋に不在の場合であっても、温度又は湿度のいずれかが設定値以上となったときに換気システムが作動するので、居住者が帰宅して部屋に入った直後から、蒸し暑さを極力感じさせないようにすることが可能となる。
【００５１】
一方、部屋の温度及び湿度の双方ともに設定値未満の場合には、センサー９が作動せず、開閉ダンパー１１及びファン１４も作動しないので、電力を不必要に消費することもない。しかも、センサー９や開閉ダンパー１１は２つの部屋５ａ、５ｂにそれぞれ設けられているので、必要な部屋のみセンサー９で検知して開閉ダンパー１１を介して部屋と小屋裏４を連通状態として換気システムを作動することができるので、この点でも電力を不必要に消費することがない。また夏季の蒸し暑さを考慮して検知手段で検知されるべき温度と湿度が設定されている場合には、上記のように開閉ダンパー１１の開口部分が閉鎖されたままの状態とされていることで、たとえば冬季等において屋外の冷気が小屋裏を介して室内に不用意に侵入するようなこともない。
【００５２】
さらに、本実施形態の換気システムは、開閉ダンパー１１とファン１４を作動させるだけの電力ですむので、この点でも消費電力の節減を図れるとともに、非常に簡単な構造で設備も簡易化されるという利点がある。
【００５３】
以上のように、本実施形態においては、居住者が不在の場合であっても部屋の換気を予め行うことができ、従って、帰宅直後の居住者に夏季の蒸し暑さを極力感じさせないようにすることができ、しかも電力の無駄な消費を極力防止することができ、設備が大がかりとなることがなく、施工のコストも増大することがない住居等の建築物の換気システムを提供することが可能となった。
【００５４】
尚、上記実施形態では、本発明の換気システムを住居に適用したが、適用する建築物の種類は住居に限定されるものではなく、住居以外の建築物に適用することも可能である。
【００５５】
また上記実施形態では、２階建ての建築物に本発明の換気システムを適用したが、これに限らず、３階建ての建築物に適用することも可能である。この場合には、小屋裏４の直下の３階部分の部屋にセンサー９や開閉ダンパー１１が設けられることとなる。
【００５６】
さらに、上記実施形態では、センサー９や開閉ダンパー１１が２つの部屋５ａ、５ｂに設けられていたが、センサー９や開閉ダンパー１１が設けられる部屋５ａ、５ｂの数は該実施形態に限定されるものではなく、３つ以上の部屋にセンサー９や開閉ダンパー１１をそれぞれ設けることも可能である。さらに、上記実施形態では、廊下の部分にセンサー９や開閉ダンパー１１を設けたが、廊下の部分にこれらを設けることは本発明に必須の条件ではない。
【００５７】
さらに、上記実施形態では、屋根裏空間部８、壁空間部７、基礎空間部６を連通状態とし、さらに屋根裏空間部８と小屋裏４とを連通部１５を介して連通状態としたので、建築物１の内部の小屋裏４、２階部分３、１階部分２が換気されるだけでなく、屋根裏空間部８、壁空間部７、基礎空間部６の建築物の周囲部分も換気されて、建築物１の全体が換気されるという好ましい効果が得られたが、屋根裏空間部８、壁空間部７、基礎空間部６の建築物の周囲部分を換気することは本発明に必須の条件ではない。
【００５８】
さらに、たとえば太陽電池の発電電力を利用し、該太陽電池の発電電力を、パワーコンディショナーで変換し、その電力を駆動源として開閉ダンパー１１やファン１４を作動させるように構成することも可能である。この場合には、駆動源を別途準備する必要がなく、電力を節減することができるという好ましい効果が得られることとなる。
【００５９】
さらに上記実施形態では、部屋の温度及び湿度の双方が予め設定された設定値未満の状態では閉鎖され、部屋の温度又は湿度のいずれかが設定値以上となったときに開口するように構成された開閉部を開閉ダンパー１１によって構成したが、このような開閉ダンパー１１以外のものによって開閉部を構成することも可能である。たとえば開口部分を開閉自在とするシャッターの他にファンを備えた、いわゆるパイプファンのようなもので開閉部を構成することもできる。
【符号の説明】
【００６０】
１  建築物
４  小屋裏
５ａ、５ｂ  部屋
９  センサー
１１  開閉ダンパー
１４  ファン
【図１】
2013257055.tif 000003